【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
画像データに対して画像処理を実行する画像処理装置であって、
第１の色座標系における表色系であって、第１の色数を表色可能な第１の表色系の画像データを、第２の色座標系における表色系であって、前記第１の色数よりも多い第２の色数を表色可能な第２の表色系の画像データへ、マトリクス演算により変換する色変換手段と、
前記第２の表色系において前記変換された画像データに対して画像処理を実行する画像処理手段と、
前記画像処理が施された画像データの表色数を低減させる表色数低減手段とを備える画像処理装置。
【請求項２】
請求項１に記載の画像処理装置において、
前記画像処理手段により実行される画像処理には、ガンマ補正処理が含まれる画像処理装置。
【請求項３】
請求項２に記載の画像処理装置において、
前記第１の表色系はＹＣＣ表色系であり、
前記第２の表色系はｓＲＧＢ表色系である画像処理装置。
【請求項４】
請求項１に記載の画像処理装置において、
前記第２の表色系の第２の色数には、前記色変換手段によって前記第１の表色系から前記第２の表色系に変換された画像データに含まれている負値によって表現される色数が含まれる画像処理装置。
【請求項５】
請求項４に記載の画像処理装置において、
前記画像処理手段により実行される画像処理には、ガンマ補正処理が含まれる画像処理装置。
【請求項６】
請求項４または請求項５に記載の画像処理装置において、
前記画像処理手段により実行される画像処理には、第２のマトリクス演算を用いた色変換処理が含まれる画像処理装置。
【請求項７】
請求項４に記載の画像処理装置において、
前記第１の表色系はＹＣＣ表色系であり、
前記第２の表色系はｓＲＧＢ表色系よりも広い表色域を有するｗＲＧＢ表色系である画像処理装置。
【請求項８】
画像データに対して画像処理を実行する画像処理装置であって、
第１の有効数字を有する整数値で表される前記画像データの色彩値を、前記第１の有効数字の桁数よりも多い桁数を有する第１の値に変更する第１の画像処理手段と、
前記第１の画像処理手段による色彩値の変更に伴う前記画像データの階調数の減少を防止する階調数減少防止手段と、
前記第１の値を有する画像データの色彩値を前記第１の値から、画像出力結果に反映される第２の値に変更する第２の画像処理手段とを備える画像処理装置。
【請求項９】
請求項８に記載の画像処理装置において、
前記階調数減少防止手段は、前記第１の有効数字の桁数よりも多い桁数まで前記第１の値の有効数字を設定することにより、前記画像データの階調数の減少を防止することを特徴とする画像処理装置。
【請求項１０】
請求項９に記載の画像処理装置において、
前記階調数減少防止手段によって階調数の減少が防止された画像データのデータサイズは、前記第１の有効数字を有する整数値で表される画像データのデータサイズよりも大きいことを特徴とする画像処理装置。
【請求項１１】
請求項８ないし請求項１０のいずれかに記載の画像処理装置において、
前記第１の画像処理手段は、前記画像データの色空間を第１の色空間から第２の色空間に変換する色空間変換手段であることを特徴とする画像処理装置。
【請求項１２】
請求項１１に記載の画像処理装置において、
前記色空間変換手段は、前記画像データの色空間をＹＣｂＣｒ色空間からＲＧＢ色空間へ変換し、前記第１の有効数字を有する整数値で表される前記画像データの色彩値を、小数点を含む前記第１の値に変更することを特徴とする画像処理装置。
【請求項１３】
画像データに対して画像処理を実行する画像処理装置であって、
前記画像データの階調数を第１の階調数から第２の階調数に増加させると共に、画像データの色空間をＹＣｂＣｒ色空間からＲＧＢ色空間に変換する第１の色空間変換手段と、
前記色空間が変換された画像データに対してガンマ補正処理を実行するガンマ補正手段と、
前記ガンマ補正処理が実行された画像データの色空間を前記ＲＧＢ色空間からｓＲＧＢ色空間よりも広い定義領域を有するｗＲＧＢ色空間に変換する第２の色空間変換手段と、
前記色空間が変換された画像データの階調数を前記第２の階調数から前記第１の階調数に戻す階調数低減手段とを備える画像処理装置。
【請求項１４】
請求項１３に記載の画像処理装置はさらに、
前記色空間が変換された画像データに対して逆ガンマ補正処理を実行する逆ガンマ補正手段を備え、
前記階調数低減手段は、前記色空間が変換された画像データに代えて、前記逆ガンマ補正が実行がされた画像データの階調数を前記第２の階調数から第１の階調数に戻すことを特徴とする画像処理装置。
【請求項１５】
請求項１４に記載の画像処理装置はさらに、
前記逆ガンマ補正が実行された画像データの画質を補正する画像補正手段を備え、
前記階調数低減手段は、前記逆ガンマ補正が実行がされた画像データに代えて、前記画質が補正された画像データの階調数を前記第２の階調数から第１の階調数に戻すことを特徴とする画像処理装置。
【請求項１６】
画像処理の施された画像データを出力する出力装置であって、
請求項１、請求項８および請求項１３のいずれかに記載の画像処理装置と、
前記画像処理装置によって画像処理の施された画像データを出力する出力手段とを備える出力装置。
【請求項１７】
画像データに対して画像処理を実行するための画像処理プログラムであって、
第１の色座標系における表色系であって、第１の色数を表色可能な第１の表色系の画像データを、第２の色座標系における表色系であって、前記第１の色数よりも多い第２の色数を表色可能な第２の表色系の画像データへ、マトリクス演算により変換する機能と、
前記第２の表色系において前記変換された画像データに対して画像処理を実行する機能と、
前記画像処理が施された画像データの表色数を低減させる機能とをコンピュータによって実現させる画像処理プログラム。
【請求項１８】
請求項１７に記載の画像処理プログラムにおいて、
前記第２の表色系の第２の色数には、前記色変換手段によって前記第１の表色系から前記第２の表色系に変換された画像データに含まれている負値によって表現される色数が含まれる画像処理プログラム。
【請求項１９】
請求項１８に記載の画像処理プログラムにおいて、
前記画像処理を実行する機能は、ガンマ補正処理および第２のマトリクス演算を用いた色変換処理の少なくとも一方を実行する機能である画像処理プログラム。
【請求項２０】
請求項１８に記載の画像プログラムにおいて、
前記第１の表色系はＹＣＣ表色系であり、
前記第２の表色系はｓＲＧＢ表色系よりも広い表色域を有するｗＲＧＢ表色系である画像処理プログラム。
【請求項２１】
画像データに対して画像処理を実行するための画像処理プログラムであって、
第１の有効数字を有する整数値で表される前記画像データの色彩値を、前記第１の有効数字の桁数よりも多い桁数を有する第１の値に変更する第１の画像処理機能と、
前記第１の画像処理手段による色彩値の変更に伴う前記画像データの階調数の減少を防止する機能と、
前記第１の値を有する画像データの色彩値を前記第１の値から、画像出力結果に反映される第２の値に変更する第２の画像処理機能とをコンピュータによって実現させる画像処理プログラム。
【請求項２２】
請求項２１に記載の画像処理プログラムにおいて、
前記階調数減少の防止は、前記第１の有効数字の桁数よりも多い桁数まで前記第１の値の有効数字を設定することにより実現されることを特徴とする画像処理プログラム。
【請求項２３】
請求項２２に記載の画像処理プログラムにおいて、
前記階調数の減少が防止された画像データのデータサイズは、前記第１の有効数字を有する整数値で表される画像データのデータサイズよりも大きいことを特徴とする画像処理プログラム。
【請求項２４】
請求項２２または請求項２３に記載の画像処理プログラムにおいて、
前記第１の画像処理機能は、前記画像データの色空間を第１の色空間から第２の色空間に変換する色空間変換機能をコンピュータによって実現させることを特徴とする画像処理プログラム。
【請求項２５】
請求項２４に記載の画像処理プログラムにおいて、
前記色空間変換機能は、前記画像データの色空間をＹＣｂＣｒ色空間からＲＧＢ色空間へ変換し、前記第１の有効数字を有する整数値で表される前記画像データの色彩値を、小数点を含む前記第１の値に変更することを特徴とする画像処理プログラム。
【請求項２６】
画像データに対して画像処理を実行するための画像処理プログラムであって、
前記画像データの階調数を第１の階調数から第２の階調数に増加させると共に、画像データの色空間をＹＣｂＣｒ色空間からｓＲＧＢ色空間に変換する第１の色空間変換機能と、
前記色空間が変換された画像データに対してガンマ補正処理を実行するガンマ補正機能と、
前記ガンマ補正処理が実行された画像データの色空間をｓＲＧＢ色空間からｓＲＧＢ色空間よりも広い定義領域を有するｗＲＧＢ色空間に変換する第２の色空間変換機能と、
前記色空間が変換された画像データの階調数を前記第２の階調数から前記第１の階調数に戻す階調数低減機能とをコンピュータによって実現させる画像処理プログラム。
【請求項２７】
請求項２６に記載の画像処理プログラムはさらに、
前記色空間が変換された画像データに対して逆ガンマ補正処理を実行する逆ガンマ補正機能をコンピュータによって実現させ、
前記階調数低減機能は、前記色空間が変換された画像データに代えて、前記逆ガンマ補正が実行がされた画像データの階調数を前記第２の階調数から第１の階調数に戻す機能であることを特徴とする画像処理プログラム。
【請求項２８】
請求項２７に記載の画像処理プログラムはさらに、
前記逆ガンマ補正が実行された画像データの画質を自動的に補正する画像補正機能をコンピュータによって実現させ、
前記階調数低減機能は、前記逆ガンマ補正が実行がされた画像データに代えて、前記画質が補正された画像データの階調数を前記第２の階調数から第１の階調数に戻す機能であることを特徴とする画像処理プログラム。
【手続補正２】
【補正対象書類名】明細書
【補正対象項目名】０００５
【補正方法】変更
【補正の内容】
【０００５】
【課題を解決するための手段およびその作用・効果】
上記課題を解決するために本発明の第１の態様は、画像データに対して画像処理を実行する画像処理装置を提供する。本発明の第１の態様に係る画像処理装置は、第１の色座標系における表色系であって、第１の色数を表色可能な第１の表色系の画像データを、第２の色座標系における表色系であって、前記第１の色数よりも多い第２の色数を表色可能な第２の表色系の画像データへ、マトリクス演算により変換する色変換手段と、前記第２の表色系において前記変換された画像データに対して画像処理を実行する画像処理手段と、前記画像処理が施された画像データの表色数を低減させる表色数低減手段とを備えることを特徴とする。
【手続補正３】
【補正対象書類名】明細書
【補正対象項目名】０００６
【補正方法】変更
【補正の内容】
【０００６】
本発明の第１の態様に係る画像処理装置によれば、第１の色座標系における第１の色数を表色可能な第１の表色系の画像データを、第２の色座標系における第１の色数よりも多い第２の色数を表色可能な第２の表色系の画像データへ、マトリクス演算により変換することができるので、異なる色座標系間において色変換処理を実行した場合であっても色変換処理（画像処理）の前後を通して画像データの階調数、表色数を維持することができる。
【手続補正４】
【補正対象書類名】明細書
【補正対象項目名】００２０
【補正方法】変更
【補正の内容】
【００２０】
本発明の第５の態様は、画像データに対して画像処理を実行するための画像処理プログラムを提供する。本発明の第５の態様に係る画像処理プログラムは、第１の色座標系における表色系であって、第１の色数を表色可能な第１の表色系の画像データを、第２の色座標系における表色系であって、前記第１の色数よりも多い第２の色数を表色可能な第２の表色系の画像データへ、マトリクス演算により変換する機能と、前記第２の表色系において前記変換された画像データに対して画像処理を実行する機能と、前記画像処理が施された画像データの表色数を低減させる機能とをコンピュータによって実現させることを特徴とする。
その他：本手続補正書における補正は、「前記第１の色数を保持しつつ」を削除する補正であり、新規事項を導入するものではない。